(57)【要約】【課題】印台下面に貼着のゴム製判に刻印された住所，氏名，名称等の印影表示の全体部分の押印とその一部分の押印との使い分け処理を、ゴム製判の印面部の数を複数にする等その形態を変えることなく合理的に、且つ迅速、容易、確実に行うことができるゴム印の提供。【解決手段】印台の下面（底面）に住所，氏名，名称等の印影表示を刻印したゴム製判を取り付けてなるゴム印において、そのゴム製判が位置する印台の下面（底面）と直交する印台の裏面側下側部端面に、そのゴム製判の印影表示とその文字や数字等の各表示構成部分の大きさとピッチ（表示間隔）が一致するそれと同一の印影表示を施してなる（印字してなる）ことを特徴とする。【選択図】図１
2010131834.tif 000002
【特許請求の範囲】
【請求項１】
印台の下面（底面）に住所，氏名，名称等の印影表示を刻印したゴム製判を取り付けてなるゴム印において、そのゴム製判が位置する印台の下面（底面）と直交する印台の裏面側下側部端面に、そのゴム製判の印影表示とその文字や数字等の各表示構成部分の大きさとピッチ（表示間隔）とが一致するそれと同一の印影表示を施してなる（記載してなる）ことを特徴とする印影表示の全体的押印と部分的押印との使い分け処理を合理的になし得る機能型ゴム印。
【請求項２】
印台の下面（底面）に住所，氏名，名称等の印影表示を刻印したゴム製判を取り付けてなるゴム印のそのゴム製判が位置する印台の下面（底面）と直交する印台の裏面側下側部端面に，そのゴム製判の印影表示とその文字や数字等の各表示構成部分の大きさとピッチ（表示間隔）とが一致するそれと同一の印影表示を施す（記載する）とともに、紙面の上の所定位置にゴム製判の印影表示のうち押印に供しない部分を紙面から隠し押印に供する部分を紙面上に露出させるための当て紙を載せ、この当て紙を載せた紙面の上にスタンプインクをつけたゴム印を印台の表側を前面に出した押印姿勢を保持する状態で配し、前記印台の裏面側下側部端面に施したゴム製判の印影表示と同一の印影表示における押印に供しない部分と押印に供する部分との境界部を前記当て紙の側端縁部に合わせるように眼で確認しながらゴム印を漸次降下させて押印するようになすことを特徴とするゴム印における印影表示の全体的押印と部分的押印との使い分け処理を合理的になし得る方法。
【発明の詳細な説明】
【技術分野】
【０００１】
本発明は、印台下面（底面）に貼着のゴム製判に刻印された住所，氏名，名称等の印影表示の全体的押印（全体部分の押印）と部分的押印（その一部分のみの押印）との使い分け処理を、印台に設けるゴム製判の印影表示を刻印する印面部を角度を変えて複数面に形成する等その形態を変えることなく合理的に、且つ迅速、容易、確実に行うことができる機能型ゴム印とその方法に関するものである。
【背景技術】
【０００２】
従来において、一つのゴム印にて，ゴム製判に刻印された住所，氏名，名称等の印影表示の全体部分の押印とその一部分の押印との使い分けをする場合には、ゴム製判の印面部における印影表示の押印不要の部分に当て紙を貼着して必要な部分のみにスタンプインクをつけて押印をなす、或いはその押印の使い分け処理を合理的に行い得るように工夫を施したものとして、特許文献１記載のゴム製判の印影表示が刻印される印面部を水平面と傾斜面等のように隣接角度の異なる複数の面に形成して夫々に印影表示の全体部分若しくは一部分の刻印をなし印影表示の全体部分の押印とその一部分のみの押印とに振り分け使用するようになしたもの等がある。
なお，ゴム製判に刻印の印影表示の全体部分の押印とその一部分のみの押印との使い分けのためではないが、その印面部に刻印した印影表示と同一内容の印影表示を通常の印台の頂面（上面）のみならず側面（表裏の面）にも記載したものとして特許文献２に記載のものがある。
【特許文献１】実開平３−３６４６２号公報
【特許文献２】実開平７−４０１５５号公報
【発明の開示】
【発明が解決しようとする課題】
【０００３】
しかし前記従来の特許文献１記載の多面型ゴム印においては、ゴム製判の印面部を印影表示の全体部分の刻印をなす印面部とその印影表示の一部分のみの刻印をなす印面部とに傾斜角度を異にして複数面に振り分け形成しなければならず、印面部の形成が複雑で製造上好適でないのみならず、押印使用時には押印を必要とする印面部を紙面と平行に向き合わせるためにゴム印を必要に応じて転動させる等の操作が必要で意外とその押印操作が面倒である。  また押印不要な印影表示の部分を当て紙の貼着で覆い必要な印影表示の部分のみを露出させてその部分の押印を行う場合には、押印不要な部分を覆うその当て紙の貼着の手間が煩瑣であるばかりでなく、スタンプインクの付け方に工夫を要し貼着した当て紙の縁部とその紙を貼着していない印影表示露出部分との境目に不必要なインクが付く或いは該部のインク付けが不十分である等によりとかく押印が不鮮明ないし汚損されるおそれが大である等の難点を有していた。
【０００４】
本発明は、斯かる従来技術の有する諸難点を解消し、印台下面（底面）に貼着のゴム製判に刻印された住所，氏名，名称等の印影表示の全体部分の一括押印とその一部分のみの押印との使い分け処理を、ゴム製判の印面部を多数面に設ける等その形態を変えることなく合理的に、且つ迅速、容易、確実に行うことができる印影表示の全体と部分の押印使い分け機能型ゴム印とその方法の提供を目的とする。
【課題を解決するための手段】
【０００５】
上記目的を達成するために、本発明は、印台の下面（底面）に住所，氏名，名称等の印影表示を刻印したゴム製判を取り付けてなるゴム印において、そのゴム製判が位置する印台の下面（底面）と直交する印台の裏面側下側部端面に、そのゴム製判の印影表示とその文字や数字等の各表示構成部分の大きさとピッチ（表示間隔）とが一致するそれと同一の印影表示を施してなる（記載してなる）ことを特徴とするものである。
そして，ゴム製判の印影表示の全体的押印と部分的押印との使い分けは、紙面上の所定位置にゴム製判の印影表示のうち押印に供しない部分を紙面から隠し押印に供する部分を紙面上に露出させるための当て紙を載せ、この当て紙を載せた紙面の上にスタンプインクをつけたゴム印を印台の表側を前面に出した押印姿勢を保持する状態で配し、前記印台の裏面側下側部端面に施したゴム製判の印影表示と同一の印影表示における押印に供しない部分と押印に供する部分との境界部を前記当て紙の側端縁部に合わせるように眼で確認しながらゴム印を漸次降下させて押印するようになすことを特徴とするものである。
【発明の効果】
【０００６】
本発明においては、上記のように、印台の下面（底面）に住所，氏名，名称等の印影表示を刻印したゴム製判を取り付けてなるゴム印において、そのゴム製判が位置する印台の下面（底面）と直交する印台の裏面側下側部端面に、そのゴム製判の印影表示とその文字や数字等の各表示構成部分の大きさとピッチ（表示間隔）とが一致するそれと同一の印影表示を施してなる（記載してなる）ので、ゴム製判に刻印した印影表示における全体部分の一括押印と一部分のみの押印との使い分け処理を合理的に且つ迅速，容易，確実に行うことができる。  即ち、住所，氏名等の印影表示を刻印したゴム製判が位置する印台の下面（底面）と直交する印台の裏面側下側部端面にゴム製判の印影表示と同一の印影表示が記載されているので、ゴム印を印台の裏面側（背面側）を手前とする正しい向きとなしそのゴム製判を紙面に平行に配置せしめた押印姿勢をとったとき、印台の裏面に施されたゴム製判の印影表示と同一の印影表示が印台底面のゴム製判の直上の位置に並列された状態で出現することとなり、しかもその印台裏面の印影表示における文字や数字等の各表示構成部分の大きさとピッチ（表示間隔）はゴム製判の印影表示におけるそれと一致して表示されているので、ゴム製判の印影の一部を省いて残部の部分の押印をしようとする場合には、その印影表示の押印に供しない部分と押印に供する部分との境界の位置の確認を、一々紙面に向けたゴム製判を手前側に返して確かめるようにする必要がなくゴム製判を紙面に平行に配置せしめたゴム印の押印姿勢をとったそのままの状態で印台の裏面の下側部端面に記載したゴム製判の印影表示と同一の印影表示を眼で確かめながら容易かつ正確になすことができる。従って、ゴム製判の印影表示の押印に供しない部分に一々当て紙を貼着して該部を隠すことなく、単に紙面の上に当て紙を置き，その当て紙の左右方向の端縁部（境界部）に前記印台裏面に施された印影表示における押印に供しない部分と押印に供する部分との境界部を合わせるように眼で確認しながら漸次ゴム印を紙面上に降下させて配置することによりゴム製判の印影表示の一部分のみの押印を迅速、容易、確実に行うことができ、ゴム製判の印影表示の全体部分の一括押印とその一部の部分の押印との使い分け処理を合理的になすことができる。
その際、ゴム製判の印影表示における押印に供しない部分と押印に供する部分との境界部に相当する当て紙の縁部の位置に不必要にスタンプインクが付いたり境界部の押印に供する冒頭部分のインク付けが不十分であったり等により紙面における押印が不鮮明ないし汚損される等の不都合もない。
また、ゴム製判の印影表示の全体部分の一括押印とその一部の部分の押印との使い分けをするために、一つのゴム印の印台に傾斜角度を変えて印面部を複数面形成し、必要な各印面部を順次転動させて押印の使い分けをする等の場合における構造面と押印操作面とに煩雑さが伴う等の不都合面もない。
【発明を実施するための最良の形態】
【０００７】
図１ないし図４の別紙図面を参照して、本発明の実施の一例を説明する。
１は、印台２の下面（底面）３にゴム製判４を貼着したゴム印である。  このゴム製判４には、住所，氏名，名称等の印影表示５（Ａ，Ｂ，Ｃ，・・・Ｈ）が刻印されている。
【０００８】
印台２の上面（頂面）６には、既存のものと同様に、ゴム製判４に刻印された印影表示５（Ａ，Ｂ，Ｃ，・・・Ｈ）と同様の印影表示７（ａ，ｂ，ｃ，・・・ｈ）が記載されており、また印台２の表面８側には、ゴム印１の表側８と裏面側９の区別を指示する（ゴム印の印影表示の押印向きが適正であるか否かを指示する）ための浅い湾曲形状の溝部１０が形成されている。  この印台２における湾曲溝１０を前面８（表側）にして押印すると、ゴム製判４の印影表示５（Ａ，Ｂ，Ｃ，・・・Ｈ）が正しい向きで押印される。
印台２の上面（頂面）６の印影表示７（ａ，ｂ，ｃ，・・・ｈ）は、ゴム印１を立てた状態で保管する保管時に、印台２底面３のゴム製判４の印影表示５の内容が何であるのかの判別を外部から容易になすために記載されたものであり、そのためその表示内容はゴム製判４の印影表示５（Ａ，Ｂ，Ｃ，・・・Ｈ）と同様のものであればよく、文字や数字等の各表示構成部分の大きさとピッチ（表示間隔）はそれと同一に設定されている必要はない。
【０００９】
印台２の表面側（前面側）８には前記ゴム印の表裏の区別即ちゴム製判の印影表示の向きが適正であるか否かを指示する湾曲溝１０が形成されているが、その反対側の印台２の裏面側（後面側）９の下側部端面には，即ち印台２底面３に設けられたゴム製判４と直交する印台２の裏面側（後面側）９の下側部端面には、文字や数字等の各表示構成部分の大きさとピッチ（表示間隔）をゴム製判４の印影表示５（Ａ，Ｂ，Ｃ，・・・Ｈ）におけるそれと同一に設定したそれと全く同一の印影表示１１（Ａ，Ｂ，Ｃ，・・・Ｈ）が施されている（記載されている）。  この印台２裏面側９に設けたゴム製判４の印影表示５（Ａ，Ｂ，Ｃ，・・・Ｈ）と全く同一の印影表示１１（Ａ，Ｂ，Ｃ，・・・Ｈ）は、前記印台２上面（頂面）６に記載した印影表示７（ａ，ｂ，ｃ，・・・ｈ）と異なり、ゴム製判４の印影表示５の全体部分の一括押印とその一部分の押印との使い分け処理を合理的かつ効率的になすために記載されたものである。
【００１０】
そのゴム製判４の印影表示５（Ａ，Ｂ，Ｃ，・・・Ｈ）の全体部分の一括押印とその一部分のみの押印との使い分け処理の方法は、次のようにする。
ゴム製判４の印影表示５（Ａ，Ｂ，Ｃ，Ｄ，Ｅ，Ｆ，Ｇ，Ｈ）のうち（Ａ，Ｂ，Ｃ，Ｄ，）の部分を省き残りの（Ｅ，Ｆ，Ｇ，Ｈ）の部分のみの押印を紙面１２にしようとする場合には、紙面１２上の所定位置に当て紙１３を置き，押印を省こうとする前記（Ａ，Ｂ，Ｃ，Ｄ）の部分をこの当て紙１３の上に一致させる状態で載せて該部分を紙面１２から隠す一方，残りの（Ｅ，Ｆ，Ｇ，Ｈ）の部分が紙面１２上に露出されるようにゴム印１を配置して押印をすれば良い。
【００１１】
するとその際、印台２底面３のゴム製判４と直行する手前側の印台２裏面９の下側部端面には、即ち紙面１２と対面するゴム製判４の上面の直ぐ直上の位置にそれと並列する状態で，文字や数字等の各表示構成部分の大きさとピッチ（表示間隔）をゴム製判４の印影表示５（Ａ，Ｂ，Ｃ，・・・Ｈ）におけるそれと同一に設定したそれと全く同一の印影表示１１（Ａ，Ｂ，Ｃ，・・・Ｈ）が施されている（記載されている）ので、その印台２裏面の印影表示１１（Ａ，Ｂ，Ｃ，・・・Ｈ）における（Ａ，Ｂ，Ｃ，Ｄ，）の部分と（Ｅ，Ｆ，Ｇ，Ｈ）の部分との境界部分を紙面１２の上に載せた当て紙１３の右側縁部に合わせるように眼で確認しながらゴム印１を当て紙１３と紙面１２の上に配置せしめることにより、ゴム印１の押印姿勢をとったそのままの状態でゴム製判４の印影表示５（Ａ，Ｂ，Ｃ，D，Ｅ，Ｆ，Ｇ，Ｈ）のうち押印に供しない（Ａ，Ｂ，Ｃ，Ｄ，）の部分を当て紙を介して紙面から隠す一方，押印に供する残りの（Ｅ，Ｆ，Ｇ，Ｈ）の部分を紙面に露出させて該部の押印をするという作業ないし処理（操作）を迅速，容易，かつ精確（確実）になすことができる。
そのため，ゴム製判４の印影表示５における押印に供しない部分を紙面１２から隠すための当て紙１３の側端縁部に対するその押印に供しない部分と押印に供する部分との境界部の位置取りに精確性を欠くことがなく，返ってその精確な位置取りを至極容易に行うことができるので、その境界部におけるインク付けが不必要ないし不十分となって押印が不鮮明となるないし紙面が汚損されるなどという不都合が生ずるおそれも全くない。
なお，ゴム製判４の印影表示５と同様な表示内容であっても上記印台２の上面（頂面）６に施された印影表示７（ａ，ｂ，ｃ，・・・ｈ）によっては、このようなゴム製判４の印影表示５における押印に供しない部分を紙面１２から隠すための当て紙１３の側端縁部に対するその押印に供しない部分と押印に供する部分との境界部の位置取りを精確かつ容易に行うことはできない。  この印影表示７（ａ，ｂ，ｃ，・・・ｈ）の場合は、前記印台２の裏面９下側部端面に施された印影表示１１（Ａ，Ｂ，Ｃ，・・・Ｈ）の場合と異なり、ゴム製判４の位置する印台２底面３とは反対側で相当に離れた印台２の上面（頂面）６に施されたものであるから、仮に各表示構成部分の大きさとピッチ（表示間隔）をゴム製判４の印影表示５と同一に設定したとしても、この印影表示７の表示構成部分の一部を眼で確認しながら当て紙１３の側端縁部に精確かつ容易に合わせるようになすことは困難であるからである。
【００１２】
また，一つのゴム印でその印影表示の全体部分のみならず一部分の押印をも可能となすためには、特許文献１に記載されているように、印台に隣接角度を異にして印面部を複数形成することも考えられるが、この場合には、そのように印面部を多数形成しなければならず構造面で複雑であり、そして複数の各印面部を印台の転動により紙面に向き合わせて押印しなければならず押印操作も煩雑さを伴うものであるが、この点本発明に係るゴム印１においては、印面部の形成は従来と全く同一の単一面であり、印影表示５の一部分の押印をなす操作面においても、単に印影表示５の一部分を紙面１２から隠すための当て紙１３を紙面１２上の然るべきところに置いて、その上にゴム製判の印影表示５における押印に供しない部分を印台裏面９の下側部端面に記載した印影表示１１におけるその相当部分を介して眼で確認しながら所定に配置するようになせばよいので、上記特許文献１が有しているような難点はなく、単純であり、使用上においても好適である。
【００１３】
このように，このゴム印１においては、印台２下側底面３に位置するゴム製判４の上方直近位置に即ちゴム製判４と直交して隣接する印台２の裏面９下側部端面に，ゴム製判４上側面と並列してゴム製判４の印影表示５と各表示構成部分の大きさとピッチ（表示間隔）を同一に設定したそれと全く同一の印影表示１１を記載したので、単に紙面１２の所定位置にゴム製判４の印影表示５における一部の押印に供しない部分を紙面１２から隠すための当て紙１３を置き、この当て紙１３と紙面１２の上にゴム印１を押印する姿勢で配置し、その押印姿勢を保持したままの状態で、当て紙１３の右側縁部に対するゴム製判４の印影表示５における押印に供する部分と押印に供しない部分との境界部の位置取り作業を、印台２裏面下側部端面に施した印影表示１１におけるゴム製判４の印影表示５の前記押印に供しない部分と押印に供する部分との境界部に相当する部分を眼で確認しながら前記当て紙１３の右側縁部に合致するようになすことによって、迅速、容易、かつ精確に行うことができ、従って従来のゴム印に比して単一のゴム印によるゴム製判の印影表示全体の一括押印（全体的押印）とその一部の部分の押印（部分的押印）との使い分け処理をより合理的になすことができ、構造面ならびに操作面においても簡潔であるためより好適である。
ゴム製判の印影表示としては、住所、氏名、名称等があり、その一部分のみの押印の使い分けとしては、例えば、住所であれば都道府県の冒頭部分を省略し残りの地名や地番部分を押印する場合があり、氏名、名称であれば、姓又は名前のいずれかを省き残部を押印する場合、或いは株式会社等の会社の種類を省き会社名のみを押印する等の場合がある。
【００１４】
なお，特許文献２のゴム印においては、印台１の表裏両面４，５に、印台底面のゴム製判２に刻印された印影表示と同様の表示内容を有する印影表示１０ｂ，１０ｃが記載されているが、これは本発明の印台裏面下側部端面に記載された印影表示１１と全く異なるもので、これによっては、本発明の課題の解決には至らないものである。  即ち、この特許文献２における印台１の表裏両面４，５に記載された印影表示１０ｂ，１０ｃは、ゴム製判２と反対側の印台の上面（頂面）に記載された印影表示１０ａと同様に、ゴム印が机上で横に並べて置かれている（横たわっている）場合に、一々ゴム製判に刻印されている印影表示の内容を確認しなくても外部からその表示内容を容易に判別できるようになしたものであって、本発明のようにゴム製判に刻印された印影表示の全体部分とその一部分との押印の使い分け処理を合理的になすためのものではない。  そしてこの特許文献２における印影表示１０ｂ，１０ｃでは、ゴム製判に刻印された印影表示の全体部分とその一部分との押印の使い分けを合理的になすことはできない。  なぜならば、この印影表示１０ｂ，１０ｃは、いずれも印台１の表面４，裏面５の上側面（ゴム製判２と反対側頂面近く）に記載されているとともに、その表示構成部分の大きさとピッチ（表示間隔）はゴム製判２における印影表示のそれと異なっているので、仮にこれによって当て紙を介してゴム製判２における印影表示の全体部分と一部分の押印の使い分けをしようとしても、これによっては（斯かる印影表示１０ｂ，１０ｃを眺めても）、ゴム製判２の印影表示における押印に供しない部分と押印に供する部分との境界部分を当て紙の側縁部に合致させる位置取り作業を迅速、容易、かつ精確になすことは到底不可能であるからである。
【図面の簡単な説明】
【００１５】
【図１】本発明実施の一例に係るゴム印の裏面側から見た斜視図である。
【図２】同上の底面図である。
【図３】同上の表面側から見た正面図である。
【図４】同上の側面図である。
【符号の説明】
【００１６】
１    ゴム印
２    印台
３    印台の下面（底面）
４    ゴム製判
５    印影表示（Ａ，Ｂ，Ｃ，・・・Ｈ）
６    印台の上面（頂面）
７    印影表示（ａ，ｂ，ｃ，・・・ｈ）
８    印台の表面
９    印台の裏面
１０    湾曲状の溝部
１１    印影表示（Ａ，Ｂ，Ｃ，・・・Ｈ）
１２    紙面
１３    当て紙
【図１】
2010131834.tif 000003
【図２】
2010131834.tif 000004
【図３】
2010131834.tif 000005
【図４】
2010131834.tif 000006